(57)【特許請求の範囲】
【請求項１】
フラップ部及び第１帳票部から第Ｎ帳票部（Ｎは、３以上の自然数）が一方向に連接され、前記フラップ部と前記第１帳票部とを連接する第１連接ライン及び第ｎ帳票部（ｎは、自然数）と第（ｎ＋１）帳票部とを連接する第（ｎ＋１）連接ラインが折り返し可能なメールフォームであって、
前記フラップ部及び各前記帳票部の連接方向に沿ってその両側外縁部に形成された裁断可能な第１裁断ラインと、
前記第１連接ラインの近傍であって少なくとも前記第１帳票部側並びに第（２ｎ＋１）連接ラインの近傍であって第２ｎ帳票部及び第（２ｎ＋１）帳票部に形成され、それぞれ前記第１連接ライン及び前記第（２ｎ＋１）連接ラインと平行に形成された裁断可能な第２裁断ラインと、
前記メールフォームの第１の面における連接する前記第２ｎ帳票部と前記第（２ｎ＋１）帳票部とのうち少なくとも一方、及び前記メールフォームの第２の面における連接する前記第（２ｎ＋１）帳票部と第（２ｎ＋２）帳票部とのうち少なくとも一方であって、前記第１裁断ラインの外側の少なくとも一部の領域に設けられた第１接着剤部と、
前記メールフォームの前記第１の面における第２ｎ連接ラインを含む前記第２ｎ連接ラインの近傍に設けられた第２接着剤部と、
前記第１帳票部の前記第１の面側であって前記第１裁断ラインの外側、又は前記第Ｎ帳票部の前記第１の面側若しくは前記第２の面側であって前記第１裁断ラインの外側の少なくとも一方に設けられた第３接着剤部と、
前記フラップ部の前記第１の面側、又は前記第２帳票部の前記第２の面側であって第３連接ライン近傍の少なくとも一方に設けられた第４接着剤部とを備え、
前記第２ｎ帳票部と前記第（２ｎ＋１）帳票部との前記第１の面同士が重なるように前記第３連接ラインから前記第Ｎ連接ラインまでを折り返し、
前記第１帳票部の前記第１の面と前記第Ｎ帳票部の前記第１の面又は前記第２の面とが重なるように第２連接ラインを折り返し、
前記フラップ部の前記第１の面と前記第２帳票部の前記第２の面とが重なるように前記第１連接ラインを折り返して、
前記第１接着剤部、前記第２接着剤部、前記第３接着剤部及び前記第４接着剤部により、前記フラップ部及び各前記帳票部を封止することが可能であること
を特徴とするメールフォーム。
【請求項２】
請求項１に記載のメールフォームにおいて、
前記帳票部のうちの少なくとも１つに形成され、前記第２ｎ連接ラインの近傍かつ前記第２ｎ連接ラインと平行であって前記第２接着剤部が設けられた領域より内側には、裁断可能な第３裁断ラインを備えること
を特徴とするメールフォーム。
【請求項３】
請求項２に記載のメールフォームにおいて、
前記第３裁断ラインが設けられた帳票部の少なくとも１つの前記第３裁断ラインの内側には、綴じ穴が形成されていること
を特徴とするメールフォーム。
【発明の詳細な説明】
【０００１】
【発明の属する技術分野】
この発明は、複数枚の連接された帳票部を折り返して封止したメールフォームに関するものである。
【０００２】
【従来の技術】
従来より、ダイレクトメール等に種々の形態のメールフォームが用いられている。例えば第１の例として、複数枚の帳票部が一方向に連接されたものに、それぞれ宣伝広告等を印刷し、各帳票部の連接ラインを交互に反対方向に（略蛇腹状に）折り返し、これを封筒に入れて、顧客に送付するものが知られている。また、第２の例として、上記各帳票部の連接ラインを交互に反対方向に折り返すとともに、各帳票部の外縁部を接着して各帳票部を封止し、表面に宛名を印字して封筒状体に形成し、これを顧客に送付するものが知られている。
【０００３】
【発明が解決しようとする課題】
しかし、前述の従来のメールフォームにおいて、第１の例では、帳票と封筒とが別々であるので、コスト高になるという問題があった。また、第１の例及び第２の例ともに、開封後に折りたたまれている帳票を引き伸ばし、内容を一見した後で、不要と判断されるとすぐに廃棄されてしまうという問題があった。したがって、受取人に、広告内容を十分に検討してもらうことが困難であった。さらに、帳票を引き伸ばすと、１枚の縦長の用紙となるので、内容が見にくいという問題があった。
【０００４】
本発明の課題は、コストを高くすることなく、印刷等された内容を見やすくして、受取人に内容を十分に見てもらうことができる形態のメールフォームを提供することにある。
【０００６】
【課題を解決するための手段】
上述の課題を解決するために、請求項１の発明は、フラップ部及び第１帳票部から第Ｎ帳票部（Ｎは、３以上の自然数）が一方向に連接され、前記フラップ部と前記第１帳票部とを連接する第１連接ライン及び第ｎ帳票部（ｎは、自然数）と第（ｎ＋１）帳票部とを連接する第（ｎ＋１）連接ラインが折り返し可能なメールフォームであって、前記フラップ部及び各前記帳票部の連接方向に沿ってその両側外縁部に形成された裁断可能な第１裁断ラインと、前記第１連接ラインの近傍であって少なくとも前記第１帳票部側並びに第（２ｎ＋１）連接ラインの近傍であって第２ｎ帳票部及び第（２ｎ＋１）帳票部に形成され、それぞれ前記第１連接ライン及び前記第（２ｎ＋１）連接ラインと平行に形成された裁断可能な第２裁断ラインと、前記メールフォームの第１の面における連接する前記第２ｎ帳票部と前記第（２ｎ＋１）帳票部とのうち少なくとも一方、及び前記メールフォームの第２の面における連接する前記第（２ｎ＋１）帳票部と第（２ｎ＋２）帳票部とのうち少なくとも一方であって、前記第１裁断ラインの外側の少なくとも一部の領域に設けられた第１接着剤部と、前記メールフォームの前記第１の面における第２ｎ連接ラインを含む前記第２ｎ連接ラインの近傍に設けられた第２接着剤部と、前記第１帳票部の前記第１の面側であって前記第１裁断ラインの外側、又は前記第Ｎ帳票部の前記第１の面側若しくは前記第２の面側であって前記第１裁断ラインの外側の少なくとも一方に設けられた第３接着剤部と、前記フラップ部の前記第１の面側、又は前記第２帳票部の前記第２の面側であって第３連接ライン近傍の少なくとも一方に設けられた第４接着剤部とを備え、前記第２ｎ帳票部と前記第（２ｎ＋１）帳票部との前記第１の面同士が重なるように前記第３連接ラインから前記第Ｎ連接ラインまでを折り返し、前記第１帳票部の前記第１の面と前記第Ｎ帳票部の前記第１の面又は前記第２の面とが重なるように第２連接ラインを折り返し、前記フラップ部の前記第１の面と前記第２帳票部の前記第２の面とが重なるように前記第１連接ラインを折り返して、前記第１接着剤部、前記第２接着剤部、前記第３接着剤部及び前記第４接着剤部により、前記フラップ部及び各前記帳票部を封止することが可能であることを特徴とする。
【０００７】
請求項２の発明は、請求項１に記載のメールフォームにおいて、前記帳票部のうちの少なくとも１つに形成され、前記第２ｎ連接ラインの近傍かつ前記第２ｎ連接ラインと平行であって前記第２接着剤部が設けられた領域より内側には、裁断可能な第３裁断ラインを備えることを特徴とする。
【０００８】
請求項３の発明は、請求項２に記載のメールフォームにおいて、前記第３裁断ラインが設けられた帳票部の少なくとも１つの前記第３裁断ラインの内側には、綴じ穴が形成されていることを特徴とする。
【０００９】
【発明の実施の形態】
以下、図面等を参照して、本発明の一実施形態について説明する。図１は、本発明によるメールフォームの一実施形態を示す平面図である。図中（ａ）は、表面図を示し、図中（ｂ）は、裏面図を示す。
メールフォーム１０は、図中上下方向に連続する連続帳票の一単位である。メールフォーム１０は、図中上下方向に連接されたフラップ部１１及び複数の帳票部１２（１２ａ〜１２ｇ）を備えている。フラップ部１１と帳票部１２ａ、帳票部１２ａと１２ｂ、帳票部１２ｂと１２ｃ、・・、及び帳票部１２ｆと１２ｇとの間には、それぞれ折り返し可能な連接ライン１３（１３ａ〜１３ｇ）が形成されている。連接ライン１３としては、例えば型によって折り目を設けたものや、裁断可能なミシン目があげられる。
【００１０】
フラップ部１１及び各帳票部１２の図中左右両側外縁部には、フラップ部１１及び各帳票部１２の連接方向（図中、上下方向）に、裁断可能なミシン目１４（１４ａ，１４ｂ）が連続して形成されている。また、連接ライン１３のうち、連接ライン１３ａ，１３ｃ，１３ｅ及び１３ｇの近傍であってその両側の帳票部１２には、連接ライン１３と平行にその連接ライン１３から所定間隔を隔てて、裁断可能なミシン目１５（１５ａ〜１５ｈ）が形成されている。
【００１１】
また、メールフォーム１０の表面及び裏面の所定位置（図１中、ハッチングで示す領域）には、接着剤部１６、１７、１８及び１９が設けられている。接着剤部１６等は、互いに圧着されると強接着する接着力を有するものである。
図１（ａ）に示す表面側において、帳票部１２ｂから１２ｇまでのミシン目１４ａ及び１４ｂの外側領域には、それぞれ接着剤部１６ａ及び１６ｂが設けられている。また、図１（ｂ）に示す裏面側において、帳票部１２ｃから１２ｆまでのミシン目１４ａ及び１４ｂの外側領域には、それぞれ接着剤部１６ａ及び１６ｂが設けられている。
【００１２】
さらに、メールフォーム１０の表面側において、連接ライン１３ｂ，１３ｄ，１３ｆ及び帳票部１２ｇの下辺１３ｈを含むその近傍の領域には、それぞれ接着剤部１７ａ〜１７ｄが設けられている。また、裏面側において、帳票部１２ｇの下辺１３ｈを含むその近傍の領域には、接着剤部１７ｅが設けられている。
【００１３】
さらにまた、メールフォーム１０の表面側において、帳票部１２ａのミシン目１４ａ及び１４ｂの外側領域には、それぞれ接着剤部１８ａ及び１８ｂが設けられている。また、裏面側において、帳票部１２ｇのミシン目１４ａ及び１４ｂの外側領域には、それぞれ接着剤部１８ｃ及び１８ｄが設けられている。
さらに、メールフォーム１０の表面側において、フラップ部１１の略全領域には、接着剤部１９ａが設けられている。また、裏面側において、帳票部１２ｂの連接ライン１３ｃの近傍領域には、接着剤部１９ｂが設けられている。
【００１４】
次に、メールフォーム１０の製造方法について説明する。
先ず、図１のように連続する基材の両面側に、例えば宣伝広告等の印刷を行う。また、必要に応じて、メールフォーム１０の受取人の宛名等を印字する。受取人の宛名等は、帳票部１２ａ又は１２ｂの裏面側の所定領域に印字される。
続いて、基材の両面側の所定位置に接着剤を塗布し、接着剤部１６，１７，１８及び１９を設ける。次に、基材の所定位置に、連接ライン１３並びにミシン目１４及び１５を形成する。なお、基材への印刷又は印字後に、連接ライン１３並びにミシン目１４及び１５を形成し、その後に接着剤部１６等を設けるようにしても良い。
【００１５】
次に、メールフォーム１０の封止について説明する。
図２は、メールフォーム１０の各連接ライン１３の折り返し方向を示す側面図である。先ず、帳票部１２ｂと１２ｃ、帳票部１２ｄと１２ｅ、及び帳票部１２ｆと１２ｇとの表面側同士が重なり合うように、連接ライン１３ｃ、１３ｄ、１３ｅ、１３ｆ及び１３ｇを折り返す。これにより、帳票部１２ｃ〜１２ｇは、略蛇腹状に折り返され、帳票部１２ｂ上に重ねられる。図３は、このときの状態を示す斜視図である。
【００１６】
この折り返しにより、表面側において、帳票部１２ｂと１２ｃ、帳票部１２ｄと１２ｅ、及び帳票部１２ｆと１２ｇとのそれぞれのミシン目１４ａ及び１４ｂの外側領域に設けられた接着剤部１６ａ及び１６ｂ同士が重なり合う。同様に、裏面側において、帳票部１２ｃと１２ｄ、及び帳票部１２ｅと１２ｆとのそれぞれのミシン目１４ａ及び１４ｂの外側領域に設けられた接着剤部１６ａ及び１６ｂ同士が重なり合う。
【００１７】
さらに、表面側において、帳票部１２ｂの連接ライン１３ｂ近傍に設けられた接着剤部１７ａと帳票部１２ｃの連接ライン１３ｄ近傍に設けられた接着剤部１７ｂ、帳票部１２ｄの連接ライン１３ｄ近傍に設けられた接着剤部１７ｂと帳票部１２ｅの連接ライン１３ｆ近傍に設けられた接着剤部１７ｃ、及び帳票部１２ｆの連接ライン１３ｆ近傍に設けられた接着剤部１７ｃと帳票部１２ｇの辺１３ｈ近傍に設けられた接着剤部１７ｄとが、それぞれ重なり合う。
【００１８】
続いて、帳票部１２ａの表面側と帳票部１２ｇの裏面側とが重なり合うように（図３中、矢印方向に）連接ライン１３ｂを折り返す。これにより、図４に示す状態となる。この折り返しにより、帳票部１２ａの表面側のミシン目１４ａ及び１４ｂの外側領域に設けられた接着剤部１８ａ及び１８ｂと、帳票部１２ｇの裏面側のミシン目１４ａ及び１４ｂの外側領域に設けられた接着剤部１８ｃ及び１８ｄとが重なり合う。さらに、帳票部１２ａの表面側の連接ライン１３ｂ近傍に設けられた接着剤部１７ａと、帳票部１２ｇの裏面側の辺１３ｈ近傍に設けられた接着剤部１７ｅとが重なり合う。
【００１９】
次に、フラップ部１１の表面側と帳票部１２ｂの裏面側とが重なり合うように（図４中、矢印方向に）連接ライン１３ａを折り返す。この折り返しにより、フラップ部１１の表面側に設けられた接着剤部１９ａと帳票部１２ｂの裏面側の連接ライン１３ｃ近傍に設けられた接着剤部１９ｂとが重なり合う。
【００２０】
この形態でメールフォーム１０が圧着されると、重なり合う接着剤部１６〜１９同士が接着される。これにより、メールフォーム１０が封止される。図５は、このときのメールフォーム１０の形態を示す表面図及び裏面図である。このようにフラップ部１１及び各帳票部１２が封止されると、ミシン目１４ａ及び１４ｂ、ミシン目１５ａ〜１５ｈは、厚み方向において重なるように配置される。また、帳票部１２ａ及び１２ｂの図１中、裏面側が、封止されたときの外面となるので、印字した受取人の宛名等は、外側から見える位置に配置される。
【００２１】
メールフォーム１０は、この状態で受取人に送付される。受取人は、ミシン目１４及び１５を裁断することにより、図５中、３辺の外縁部を分離し、メールフォーム１０を開封する。メールフォーム１０の外面のミシン目１４及び１５を裁断すれば、同時に全てのミシン目１４及び１５を裁断することができる。
【００２２】
図６は、開封されたメールフォーム１０を示す斜視図である。３辺の外縁部が分離されると、各帳票部１２を見開くことができるようになる。ここで、裁断されない１辺の外縁部は、接着剤部１７により接着されているので、メールフォーム１０は、開封により冊子状になる。これにより、受取人に対して見やすいダイレクトメール等を提供することができる。また、メールフォーム１０の各頁は、図６において右側から、帳票部１２ａの表面、帳票部１２ｇの裏面、帳票部１２ｇの表面、帳票部１２ｆの表面、帳票部１２ｆの裏面、帳票部１２ｅの裏面、帳票部１２ｅの表面、帳票部１２ｄの表面、帳票部１２ｄの裏面、帳票部１２ｃの裏面、帳票部１２ｃの表面、帳票部１２ｂの表面の順序となる。したがって、メールフォーム１０の各帳票部１２に印刷するときに、この順序で印刷すれば、冊子状となったときに順序よく広告等を見せることができる。
【００２３】
以上、本発明の一実施形態について説明したが、本発明は、上述した実施形態に限定されることなく、均等の範囲内で以下のような種々の変形が可能である。
図７は、上述の実施形態の第１の変形例を示す要部平面図である。この例では、フラップ部１１Ａの図中上下方向の長さは、帳票部１２ａの連接ライン１３ａとミシン目１５ｂとの間の長さより短く形成されている。このようにフラップ部１１Ａを形成すれば、フラップ部１１Ａにミシン目１５ａを形成する必要がなくなる。
【００２４】
図８は、上述の実施形態の第２の変形例を示す要部平面図である。この例では、各帳票部１２の接着剤部１７が設けられた領域の内側にミシン目１５ｉ，１５ｊ，・・が形成されており、さらにその内側の所定位置に、綴じ穴２０ａ，２０ｂ，・・が形成されている。少なくとも１つの帳票部１２をこのように形成すれば、メールフォーム１０を開封して冊子状になった後、必要な帳票部１２をミシン目１５ｉ等から裁断することができる。また、必要な帳票部１２を裁断して、綴じ穴２０ａ等を用いてファイル等に綴じておくことができる。各帳票部１２の少なくとも一部がクーポン券や割引券等であるときは、このようにミシン目１５ｉ等を形成すれば、その使用時にその帳票部１２を切り取りやすくなる。
【００２５】
また、実施形態では、７枚の帳票部（１２ａ〜１２ｇ）が連接された例を示したが、帳票部１２を何枚連接しても良い。例えば、帳票部１２を８枚連接したときは、末端部の帳票部を１２ｈとすると、帳票部１２ｇと１２ｈとの図１中、裏面側のミシン目１４ａ及び１４ｂの外側領域に接着剤部１６ａ及び１６ｂを設け、さらに、帳票部１２ｈの図１中、表面側に接着剤部１７ｅ，１８ｃ及び１８ｄを設ければ良い（このときは、帳票部１２ｇには接着剤部１７ｅ，１８ｃ及び１８ｄを設ける必要はない。）。
【００２６】
【発明の効果】
請求項１の発明によれば、各帳票部を折り返して封止し、メールフォームの形態とすることができ、また、メールフォームを開封すると冊子状の形態となるので、コストを高くすることなく、開封後に帳票部に印刷等された内容を見やすくすることができる。請求項２の発明によれば、メールフォームの開封後に、必要な帳票部を簡便に分離することができる。請求項３の発明によれば、分離した帳票部の保管の便を高めることができる。
【図面の簡単な説明】
【図１】本発明によるメールフォームの一実施形態を示す表面図及び裏面図である。
【図２】メールフォーム１０の各連接ライン１３の折り返し方向を示す側面図である。
【図３】帳票部１２ｃ〜１２ｇを、略蛇腹状に折り返したときの状態を示す斜視図である。
【図４】図３の状態から、連接ライン１３ｂを折り返したときの状態を示す斜視図である。
【図５】封止されたメールフォーム１０の形態を示す表面図及び裏面図である。
【図６】開封されたメールフォーム１０を示す斜視図である。
【図７】実施形態の第１の変形例を示す要部平面図である。
【図８】実施形態の第２の変形例を示す要部平面図である。
【符号の説明】
１０  メールフォーム
１１  フラップ部
１２（１２ａ〜１２ｇ）  帳票部
１３（１３ａ〜１３ｇ）  連接ライン
１４（１４ａ，１４ｂ）  ミシン目
１５（１５ａ〜１５ｈ）  ミシン目
１６（１６ａ，１６ｂ）  接着剤部
１７（１７ａ〜１７ｅ）  接着剤部
１８（１８ａ〜１８ｄ）  接着剤部
１９（１９ａ，１９ｂ）  接着剤部
【図１】
0003802129.tif 000002
【図２】
0003802129.tif 000003
【図３】
0003802129.tif 000004
【図４】
0003802129.tif 000005
【図５】
0003802129.tif 000006
【図６】
0003802129.tif 000007
【図７】
0003802129.tif 000008
【図８】
0003802129.tif 000009